(57)【要約】ゴルフのプレーにおいて、パッティングは極めて重要な要素である。なかでもパッティングの距離感はもっとも養いがたく、パッティングの向上にはゴルフ場での多数回のラウンドが必要と言われている。しかしながらパターマットは通常２〜３ｍしかなく、ゴルフグリーン同様の転がりが得られるカーペット面等はなかなかないものである。また平滑床面は家庭や会社等に多数見受けられるがゴルフボールは転がりすぎるためパッティング練習は不能である。本発明は、このような欠点を除去することを目的としている。円板の中央に穴を設け、同心円状に筒状部または半球状部を立設した本体をもちゴルフボール、または擬似ゴルフボールを収納し、転動させることが可能なゴルフ用パター練習ボール器具を発明した。また磁力を応用してゴルフボールを補足する専用練習カップを発明した。
2003055564.tif 000002
【特許請求の範囲】
【請求項１】
円板の中央に穴を穿設した底面部に、同心円状に筒状部または半球状部を立設した胴部をもちゴルフボール、または擬似ゴルフボールを収納し、転動させることにより平滑床面でのパット練習が行なえることを特徴とするゴルフ用パター練習ボール器具。
【請求項２】
載置した際辺縁部が床面に密着するように傾斜形成された辺縁を持つ円板の中央部に薄型強力磁石を埋設したゴルフ用パター練習カップ、及びこれと併用する、底面にドーナツ状磁性体を配設したことを特徴とする請求項１記載のゴルフ用パター練習ボール器具。
【発明の詳細な説明】
技術分野
本発明は、ゴルフのパター練習用のボール、及び専用パター練習カップとして発明されたものであり、平滑床面上で利用するものである。
背景技術
従来から使用されているパター練習用ゴルフボールには、日本特開昭６２−２８１９７７．日本実開昭５９−１９６２５０．日本実開昭６０−９９６２．日本実開昭６２−１８０４６８．日本実開昭６３−５６０５７．日本実登３０２９６２５がある。即ちゴルフボールの表面を繊維状の突起物や人工芝、ボア布、吸盤等で覆ったものや、内部素材を変化させたもの等で、いずれも家庭内の床、畳、屋外のコンクリート、アスフアルトでも手軽にパター練習が出来る事を目指したものである。
しかし、大部分が実際のグリーン上のボールの転がりとは大きく異なる感触であり、又パッテングの打球感も極めて異質のものがある。従って、ゴルファーにとっては、重要なパッテングの微妙なフィーリングは得られず、満足出来ない。
ゴルフのプレーにおいて、パッティングは極めて重要な要素である。なかでもパッティングの距離感はもっとも養いがたく、パッティングの向上にはゴルフ場での多数回のラウンドが必要と言われている。しかしながらパターマットは通常２〜３ｍしかなく、ゴルフグリーン同様の転がりが得られるカーペット面等はなかなかないものである。また平滑床面は家庭や会社等に多数見受けられるがゴルフボールは転がりすぎるためパッティング練習は不能である。本発明は、このような欠点を除去することを目的としている。
発明の開示
円板の中央に穴を設け、同心円状に筒状部または半球状部を立設した本体をもちゴルフボール、または擬似ゴルフボールを収納し、転動が可能なゴルフ用パター練習ボール器具を発明した。また磁力を応用してゴルフボールを捕捉する専用練習カップを発明した。
発明を実施するための最良の形態
本発明を詳細に説述するために、添付の図面に従ってこれを説明する。
本発明を使用するにあたっては、平滑床面に本発明練習ボール器具を置き、第１図及び、第２図の４の様にゴルフボール、または擬似ゴルフボールを収納し、本体筒状部（第１図の１）または半球状部（第２図の２）をパターヘッドでインパクトして使用する。
第３図、第４図に請求項２に係る発明の実施例を示す。
中央部に薄型強力磁石（第３図及び第４図の６）を持ちなだらかに傾斜した辺縁を持つ専用パター練習カップとドーナツ状磁性体金属板（第３図及び第４図の５）を配設した練習ボール器具との併用実施の形態である。
実際のゴルフでのボールのカップインを前述の両者間に働く磁力で近似させることにより、ゴルファーにとって、重要なパッテングの微妙なフィーリングをさらに向上させることができる。
使用方法
ゴルフボールと本発明練習ボール器具とのクリアランスは狭く一定であり、ゴルフボールは本発明練習ボール器具に安定して支持され，一定の抵抗を受けながら転動する。その結果、コントロールされたゴルフボールの転がり、及び安定した停止が可能となる。本体筒状部または半球状部は薄く形成することにより、インパクトの感触にほとんど影響を与えない。また転がりは本発明練習ボール器具の総重量、及び材質により正確に調節が可能であり、通常のスティンプメーターを併用すれば、ラウンドに先立ってゴルフ場に問い合わせたグリーンの速さに本発明練習ボール器具の転がりを合わせることも可能である。
【図面の簡単な説明】
第１図及び第２図は、本発明の一実施形態を示すの斜視図である。第３図は、請求項２に係る発明の実施形態を示す斜視図である。第４図は、請求項２に係る発明の実施形態を示す正面図である。
【図１】
2003055564.tif 000003
【図２】
2003055564.tif 000004
【図３】
2003055564.tif 000005
【図４】
2003055564.tif 000006
【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
円板の中央に穴を穿設した底面部に、同心円状に筒状部または半球部を立設した胴部をもちゴルフボール、または擬似ゴルフボールを収納し、転動させることにより平滑床面でのパット練習が行えることを特徴とするゴルフ用パター練習ボール器具。
【請求項２】
載置した際辺が床面に密着するように傾斜形成された辺縁を持つ円板の中央部に薄型強力磁石を埋設したゴルフ用パター練習カップ、及びこれと併用する、底面にドーナツ状磁性体を配設したことを特徴とする請求項１記載のゴルフ用パター練習ボール器具。
【請求項３】
中央に穴が設けられた円板部と、
前記穴を取り囲むようにして前記円板部上に立設され、ゴルフボールを転動可能に収納する収納部と、
を備えたことを特徴とするゴルフ用パター練習ボール器具。
【請求項４】
前記収納部が筒状をなしていることを特徴とする請求項３に記載のゴルフ用パター練習ボール器具。
【請求項５】
前記収容部がカップ状を成していることを特徴とする請求項３に記載のゴルフ用パター練習ボール器具。
【請求項６】
前記収容部が半球状をなしていることを特徴とする請求項３に記載のゴルフ用パター練習ボール器具。
【請求項７】
ボール器具と、カップと、を有するゴルフ用パター練習器具であって、
前記ボール器具が、
中央に穴が設けられた円板部と、
前記穴を取り囲むようにして前記円板部上に立設され、ゴルフボールを転動可能に収納する収納部と、
前記穴を取り囲むようにして前記円板部上に設けられたドーナツ状磁性体金属板と、を備え、
前記カップが、
中央部から周縁部に向かって下降するように傾斜した円板と、
前記円板の前記中央部に埋設された磁石と、
を備えたことを特徴とするゴルフ用パター練習器具。
【国際調査報告】
2003055564.tif 000007
2003055564.tif 000008
2003055564.tif 000009
2003055564.tif 000010